(57)【要約】【課題】ユーザーの好みに適合した音響特性やデザイン性を、蓋部の交換という簡便な手法によって安定的に供給することができる携帯用スピーカ装置を提供する。【解決手段】  スピーカユニット４００を収容する筐体部５００の背面側に、一方の蓋部が他方の蓋部を介して接続されるように第１の蓋部１００及び第２の蓋部２００を設ける。第１の蓋部１００は、嵌合部１１０と外周筒部１３０を備え、第２の蓋部２００は、被嵌合部２１０と壁部２４０を備える。嵌合部１１０は、外周筒部１３０から内側に向かって延在する板状、被嵌合２１０部は、壁部２４０から外側に向かって延在する板状に設けられる。嵌合部１１０は、被嵌合部２１０と底面部２２０との間に設けられ、被嵌合部２１０は、嵌合部１１０と底面部１２０との間に設けられる。嵌合部１１０と被嵌合部２１０とが着脱可能に嵌合し、第１の蓋部１００は、第２の蓋部２００に対して取り外し可能となる。【選択図】図２
2011234102.tif 000002
【特許請求の範囲】
【請求項１】
スピーカユニットと、当該スピーカユニットを収容する筐体部と、当該筐体部に取り付けられる蓋部とを備え、
前記蓋部と前記筐体部は、前記スピーカユニットの音響放射側に対して逆側に設けられる空気室を構成しており、
前記蓋部は、第１の蓋部及び第２の蓋部を備え、
前記第１の蓋部が備える嵌合部と、前記第２の蓋部が備える被嵌合部は、当該第１の蓋部と当該第２の蓋部との間に設けられ、
前記第１の蓋部は開口部を備え、当該開口部の内側には前記嵌合部が配置されており、
前記第２の蓋部は、前記被嵌合部を支持する底面部と、当該底面部と当該被嵌合部との間に間隙を備え、
前記第１の蓋部の開口部は、前記被嵌合部の外形に対応する平面形状を備え、
前記被嵌合部は、第１の蓋部の開口部及び前記嵌合部の外形に対応する平面形状を備え、
前記嵌合部は前記第２の蓋部の間隙内に配置され、前記被嵌合部は前記第１の蓋部の開口部に配置されて、当該嵌合部および当該被嵌合部が互いに取り外し可能に嵌合することを特徴とする携帯用スピーカ装置。
【請求項２】
前記筐体部と前記第１の蓋部及び前記第２の蓋部により前記スピーカユニットの背面側に空気室が構成されており、
前記第１の蓋部は、底面部と、当該底面部を囲む外周筒部とを備え、当該底面部は前記開口部を構成する内周部を有し、
前記第２の蓋部は、当該第２の蓋部の底面部から立設される壁部と、当該壁部から外側に突出する板状の天面部とを備え、
前記第２の蓋部の間隙は、前記天面部と当該第２の蓋部の底面部と前記壁部とで構成されており、
前記嵌合部は、前記第１の蓋部の前記外周筒部又は前記底面部に支持され、
前記第２の蓋部の間隙を第１の間隙として、前記第１の蓋部は第２の間隙を備え、
前記第２の間隙は、前記第１の蓋部の底面部が有する前記筐体部側に対し逆側に配置される面と前記嵌合部との間に設けられており、
前記嵌合部は、前記第１の間隙内に配置され、
前記被嵌合部は、前記第２の間隙内に配置されていることを特徴とする請求項１に記載の携帯用スピーカ装置。
【請求項３】
前記壁部は、周方向に延在する第１の壁部と、当該第１の壁部の外側に配置されると共に、径方向に沿って延在する第２の壁部とを備え、  前記嵌合部は、前記被嵌合部の中心軸を実質的な回転軸として、前記第１の間隙内に回転して配置され、
前記嵌合部の回転方向に対して交差する方向に延在する前記第２の壁部は、当該嵌合部の回転を規制することを特徴とする請求項２に記載の携帯用スピーカ装置。
【請求項４】
前記壁部は、第１の壁部と前記第２の壁部とを連結する第３の壁部を備え、
前記第３の壁部は、前記天面部の外周部に沿って、前記第２の蓋部の底面部に立設され、
前記嵌合部は、前記第３の壁部に沿って、前記第１の間隙内に配置されることを特徴とする請求項３に記載の携帯用スピーカ装置。
【請求項５】
前記嵌合部と前記被嵌合部の一方には、他方と対面する側に凸部が設けられ、他方には、前記凸部に係合する凹部が設けられていることを特徴とする請求項４に記載の携帯用スピーカ装置。
【請求項６】
前記嵌合部は、当該嵌合部から前記被嵌合部に向かう方向に沿って傾斜する傾斜状部を備え、
前記傾斜状部には、前記凸部が設けられていることを特徴とする請求項５に記載の携帯用スピーカ装置。
【請求項７】
前記傾斜状部は、前記嵌合部の内側端部に設けられていることを特徴とする請求項６に記載の携帯用スピーカ装置。
【請求項８】
前記第１の蓋部と前記第２の蓋部は、矩形状の平面形状を備え、
前記第２の蓋部の底面部は、その角部近傍に設けられる傾斜面部と、当該傾斜面部に対して内側に設けられる平坦部とを備え、
前記傾斜面部は、前記底面部から前記筐体部に向かって傾斜しており、
前記第１の蓋部の外周筒部は、前記傾斜面部を通過して、当該第１の蓋部に対し所定の位置に配置されることを特徴とする請求項７に記載の携帯用スピーカ装置。
【請求項９】
前記空気室は、前記第１の蓋部及び前記第２の蓋部のうち、前記スピーカユニット側に配置される一方の蓋部と前記筐体部と前記スピーカユニットで構成される第１の空気室と、前記一方の蓋部と他方の蓋部とで構成される第２の空気室とを備え、
前記一方の蓋部は、前記第１の空気室と前記第２の空気室とを連通させる開口部を備えることを特徴とする請求項８に記載の携帯用スピーカ装置。
【請求項１０】
前記一方の蓋部の底面部は、前記第１の空気室と前記第２の空気室とを連通させる開口部を備えることを特徴とする請求項９に記載の携帯用スピーカ装置。
【請求項１１】
前記第２の空気室は、前記第１の間隙と前記第２の間隙で構成されることを特徴とする請求項１０に記載の携帯用スピーカ装置。
【請求項１２】
前記蓋部は、前記他方の蓋部の開口部を覆う第３の蓋部を備えることを特徴とする請求項１１に記載の携帯用スピーカ装置。
【請求項１３】
前記一方の蓋部は前記第２の蓋部であり、前記他方の蓋部は前記第１の蓋部であり、
前記第２の蓋部が有する開口部は、前記第３の壁部の外側であって、当該第３の壁部に沿って設けられていることを特徴とする請求項１２に記載の携帯用スピーカ装置。
【請求項１４】
前記壁部は、第１の壁部から前記第３の壁部にかけて、外側であって径方向に突出する形状を備えることを特徴とする請求項１３に記載の携帯用スピーカ装置。
【請求項１５】
前記壁部は、前記第１の壁部の一方の端部側に前記第３の壁部が配置され、他方の端部側に第４の壁部が配置されており、
前記第４の壁部は、前記第１の壁部の外側にて、径方向に延在して、前記嵌合部の回転を規制することを特徴とする請求項１４に記載の携帯用スピーカ装置。
【請求項１６】
前記他方の蓋部を複数備え、
前記筐体部に対し、前記複数の他方の蓋部は交換可能に取り付けられることを特徴とする請求項１５に記載の携帯用スピーカ装置。
【請求項１７】
前記複数の他方の蓋部は、前記一方の蓋部との間で、容積が異なる前記第２の空気室を構成することを特徴とする請求項１６に記載の携帯用スピーカ装置。
【請求項１８】
前記筐体部は、前記スピーカユニットに対して音響放射側に設けられる音響管を備え、
前記音響管には、耳介挿入部が取り付けられていることを特徴とする請求項１７に記載の携帯用スピーカ装置。
【請求項１９】
前記音響管は、前記筐体部の中心軸に対して所定の角度をなす中心軸を備えることを特徴とする請求項１８に記載の携帯用スピーカ装置。
【請求項２０】
前記複数の他方の蓋部は、互いに異なる吸音部材を備えることを特徴とする請求項１９に記載の携帯用スピーカ装置。
【請求項２１】
請求項１に記載の携帯用スピーカ装置を備えることを特徴とする電子機器。
【発明の詳細な説明】
【技術分野】
【０００１】
本発明は、イヤホン、ヘッドホン等の携帯用スピーカ装置及び当該携帯用スピーカ装置を備える電子機器に関する。
【背景技術】
【０００２】
近年、ポータブルオーディプレーヤ等のオーディオ機器をはじめとした電子機器の小型化及びパーソナル化に伴い、内部にスピーカユニットを有するイヤホン等の携帯用スピーカ装置が広く普及している。
【０００３】
例えば、特許文献１では、ハウジングの一部を着脱交換可能にすることで、ハウジング容積の変更に伴う音質の調整や、外観デザインの変更を可能とするイヤホンが開示されている。
【０００４】
また、例えば、特許文献２では、電子音響変換器が内蔵されたユニットケース本体を構成するコード導出部材支持部の外周部を、ユニットケース本体の背面に設けられた装飾用のキャップ部材が回動する電気音響変換装置が開示されている。
【先行技術文献】
【特許文献】
【０００５】
【特許文献１】特開２００８−２８３３９８公報
【特許文献２】特開平０７−１５４８８８公報
【発明の概要】
【発明が解決しようとする課題】
【０００６】
例えば、特許文献２に示される携帯用スピーカ装置は、キャップ部材とコード導出部材支持部との取り付け機構を備える。このキャップ部材の係合凸部は、コード導出部材支持部に設けられた係合凹部に係合している。キャップ部材をコード導出部材支持部から取り外すことを繰り返す際、係合凸部は破損又は磨耗する。この係合凸部の破損又は磨耗により、キャップ部材はコード導出部材支持部から外れ易くなる場合がある。
【０００７】
本発明は、上述した事情に鑑みてなされものであって、上述のような問題点を解決することを課題の一例とするものである。すなわち、交換可能な蓋部の被取り付け部に対する固定力を長期的に維持すること、簡便な作業で円滑に取り付けができること等を可能にする携帯用スピーカ装置を提供することを目的とする。
【課題を解決するための手段】
【０００８】
上記課題を解決するために、請求項１に記載の発明に係る携帯用スピーカ装置は、スピーカユニットと、当該スピーカユニットを収容する筐体部と、当該筐体部に取り付けられる蓋部とを備え、前記蓋部と前記筐体部は、前記スピーカユニットの音響放射側に対して逆側に設けられる空気室を構成しており、前記蓋部は、第１の蓋部及び第２の蓋部を備え、前記第１の蓋部が備える嵌合部と、前記第２の蓋部が備える被嵌合部は、当該第１の蓋部と当該第２の蓋部との間に設けられ、前記第１の蓋部は開口部を備え、当該開口部の内側には前記嵌合部が配置されており、前記第２の蓋部は、前記被嵌合部を支持する底面部と、当該底面部と当該被嵌合部との間に間隙を備え、前記第１の蓋部の開口部は、前記被嵌合部の外形に対応する平面形状を備え、前記被嵌合部は、第１の蓋部の開口部及び前記嵌合部の外形に対応する平面形状を備え、前記嵌合部は前記第２の蓋部の間隙内に配置され、前記被嵌合部は前記第１の蓋部の開口部に配置されて、当該嵌合部および当該被嵌合部が互いに取り外し可能に嵌合することを特徴とする。
【０００９】
また、上記課題を解決するために、請求項２１に記載の発明に係る電子機器は、請求項１に記載の携帯用スピーカ装置を備えることを特徴とする。
【図面の簡単な説明】
【００１０】
【図１】本発明に係る携帯用スピーカ装置の一実施の形態であるイヤホンの外観構成を模式的に示す斜視図である。
【図２】本発明に係る携帯用スピーカ装置の一実施の形態であるイヤホンの内部構成を模式的に示す斜視図である。
【図３】本発明に係る携帯用スピーカ装置の一実施の形態であるイヤホンを分解した状態の各部の構成を模式的に示す分解斜視図である。
【図４】本発明に係る携帯用スピーカ装置の一実施の形態であるイヤホンの第１の蓋部の構成を模式的に示す斜視図である。
【図５】（ａ）は、本発明に係る携帯用スピーカ装置の一実施の形態であるイヤホンの第２の蓋部の構成を模式的に示す斜視図であり、（ｂ）は当該イヤホンの第２の蓋部の構成を模式的に示す正面図であり、（ｃ）は、当該イヤホンの第２の蓋部の構成を模式的に示す底面図である。
【図６】本発明に係る携帯用スピーカ装置の一実施の形態であるイヤホンの第２の蓋部に対して第１の蓋部を取り付けた状態の各部の内部構成を模式的に示す斜視図である。
【図７】本発明に係る携帯用スピーカ装置の一実施の形態であるイヤホンの第２の蓋部に対して第１の蓋部を取り付ける動作中の各部の外観構成を模式的に示す斜視図である。
【図８】本発明に係る携帯用スピーカ装置の一実施の形態であるイヤホンの第２の蓋部に対して第１の蓋部を取り付ける動作中の各部の内部構成を模式的に示す斜視図である。
【図９】本発明に係る携帯用スピーカ装置の一実施の形態であるイヤホンを備えたポータブルオーディオプレーヤの外観構成を模式的に示す正面図である。
【発明を実施するための形態】
【００１１】
以下、図面を参照しながら本発明の実施の形態について詳細に説明する。
本発明に係る携帯用スピーカ装置の一実施の形態であるイヤホン１０の構成について、図１、図２及び図３を用いて説明する。図１は、本発明に係る携帯用スピーカ装置の一実施の形態であるイヤホン１０の外観構成を模式的に示す斜視図である。図２は、本発明に係る携帯用スピーカ装置の一実施の形態であるイヤホン１０の内部構成を模式的に示す斜視図である。図３は、本発明に係る携帯用スピーカ装置の一実施の形態であるイヤホン１０を分解した状態の各部の構成を模式的に示す分解斜視図である。
【００１２】
図１、図２及び図３に示すように、本実施の形態のイヤホン１０は、スピーカユニット４００と、筐体部５００と、耳介挿入部６００と、蓋部２０とを備えている。そして、本実施の形態のイヤホン１０の蓋部２０は、第１の蓋部１００と、第２の蓋部２００と、第３の蓋部３００とからなる。
【００１３】
スピーカユニット４００は、音声信号発生源となるオーディオ機器等から送信される音声信号を音波に変換するための公知の構成要素を有する電気音響変換素子を備えている。電気音響変換素子は、動電型（ダイナミック型）の電気音響変換素子、圧電型の電気音響変換素子等、特に限定されない。本実施の形態では、スピーカユニット４００は、動電型の電気音響変換素子であり、フレームと、フレームに支持される振動体と、磁気回路とを備える。振動体は、振動板、エッジ、ボイスコイル、ボイスコイル支持部を備える。磁気回路は、ヨーク、磁石、プレートを備える。このスピーカユニット４００が有するフレームは、筐体部５００に支持されている。スピーカユニット４００の前面側（音響放射側）、背面側（音響放射側に対して逆側）における各空間は、振動板によって区画されている。また振動板が、通気性が低い又は実質的に通気性がない材料で形成され、各空間を空気が移動することを実質的に抑止しても構わない。また、スピーカユニット４００の背面側の空間は、スピーカユニット４００、筐体部５００、蓋部２０とで実質的に気密となっていても構わない。なお、スピーカユニット４００の背面側の空間が気密である場合、筐体部５００とフレームとが互いに周方向で接触することで、空気がフレームと筐体部５００との間を通過するのを抑止しても構わない。
【００１４】
筐体部５００は、スピーカユニット４００を収容している。また、筐体部５００は、スピーカユニット４００から放射された音波を、耳介挿入部６００を介して外耳道に導く音響管５１０を備えている。蓋部２０の中心軸は、音響管５１０の中心軸に対して所定の角度を成している。また、音響管５１０は、筐体部５００に対して連続して形成されていることに限らず、筐体部５００から取り外し可能に別部材で形成されても構わない。
【００１５】
また、筐体部５００と音響管５１０とは、一体成形されていてもよい。また、蓋部２０に対する音響管５１０の角度を変化可能となるように、筐体部５００と音響管５１０とを係合させ、連結しても構わない。この場合、ユーザーは好みに合わせて音響管５１０の角度を調節して、ユーザーの耳に対して適切な装着状態を維持することができる。また、筐体部５００の材料は、樹脂材料（例えば、ＰＳやＡＢＳ等）、金属（例えば、アルミニウム、鉄等）、又はこれらの複合材等を用いることができる。
【００１６】
耳介挿入部６００は、音響管５１０を通過するスピーカユニット４００からの音波を外耳道に導く。耳介挿入体６００は、音響管５１０の一部に支持される筒状部６１０と、耳介と接する外耳道接触部６２０とを備えている。筒状部６１０は、音響管５１０に対して着脱可能にしても構わない。外耳道接触部６２０は、弾性体で構成することで、ユーザーに適度な装着感を与え、適切な装着状態を維持することができる。また、異なる外形の外耳道接触部６２０を有する複数の耳介挿入部６００をイヤホン１０が備え、ユーザーの好みに合わせて適宜交換できるように構成しても構わない。
【００１７】
また、耳介挿入部６００と音響管５１０との間に、音質を調整できる音響用フィルタ（図示せず）が配置されても構わない。音響用フィルタの配置位置は、例えば、耳介挿入部６００側における音響管５１０の端部、又は蓋部２００側における音響管５１０の端部、これら端部間の中間部であってもよい。なお、外耳道接触部６２０は、例えば、シリコーンゴム等の樹脂材料で構成されても構わない。
【００１８】
蓋部２０は、筐体部５００の音響管５１０側とは逆側に取り付けられている。この蓋部２０は、筐体部５００内に配置されるスピーカユニット４００の背面側（音響放射側に対し逆側）にて、空気室７００を形成している。この空気室７００は、実質的には、筐体部５００、スピーカユニット４００、蓋部２０とで構成されている。
【００１９】
蓋部２０は、第１の蓋部１００と、第２の蓋部２００と、第３の蓋部３００とを備える。本実施の形態では、一方の蓋部としての第１の蓋部１００が他方の蓋部としての第２の蓋部２００を介して筐体部５００に取り付けられている。なお、一方の蓋部と他方の蓋部とはそれぞれ後述する開口部を有している。空気室７００は、この開口部によって開口されている。なお、蓋部２０は、公知の樹脂材料で構成される。また、蓋部２０は、筐体部５００と同様の材料で構成されても構わない。
【００２０】
第１の蓋部１００は、筐体部５００側に嵌合部１１０を備える。第２の蓋部２００は、嵌合部１１０に対応する被嵌合部２１０を備える。この嵌合部１１０と被嵌合部２１０とは、着脱可能に嵌合する。なお、これ以降、嵌合部１１０と被嵌合部２１０とを嵌合し、第１の蓋部１００を第２の蓋部２００に対して取り付ける動作や、第１の蓋部１００を第２の蓋部２００から取り外す動作を総称して、単に嵌合動作と呼称する。本実施の形態では、嵌合部１１０と被嵌合部２１０とが着脱可能に嵌合しており、イヤホン１０は、第１の蓋部１００と第２の蓋部２００との取り付け機構を備える。
【００２１】
そして、第１の蓋部１００の筐体部５００側とは逆側には、第３の蓋部３００が取り付けられている。この第３の蓋部３００は、スピーカユニット４００、蓋部２０、筐体部５００とで構成される空気室７００を気密にしている。また、スピーカユニット４００側における、第３の蓋部３００の近傍に吸音材（図示せず）が設けられており、第３の蓋部３００から外部への音漏れを抑制している。第３の蓋部３００の外表面は、様々な形状・模様・色彩を施して多様なデザインとすることができる。また、イヤホン１０が複数種類の第３の蓋部３００を備えることで、ユーザーが好みに合わせて適宜交換することを可能にする。なお、イヤホン１０は、形状が異なる第３の蓋部３００を複数備えていても構わない。また、イヤホン１０が、形状が実質的に同じであるか、或いは意匠性が異なる第３の蓋部３００を複数備えても構わない。
【００２２】
次に、イヤホン１０について、第１の蓋部１００の構成及び第２の蓋部２００の構成、並びに両者が取り付けられた状態での各部の構成を、図４及び図５並びに図６を用いて詳細に説明する。図４は、本発明に係る携帯用スピーカ装置の一実施の形態であるイヤホン１０の第１の蓋部１００の構成を模式的に示す斜視図であって、図４（ａ）は第３の蓋部３００側（筐体部５００側とは逆側）から見た斜視図、図４（ｂ）は筐体部５００側から見た斜視図である。図５は、本発明に係る携帯用スピーカ装置の一実施の形態であるイヤホン１０の第２の蓋部２００の構成を模式的に示す斜視図であって、図５（ａ）は第１の蓋部１００側（筐体部５００側とは逆側）から見た斜視図、図５（ｂ）は第１の蓋部１００側（筐体部５００側とは逆側）から見た正面図、図５（ｃ）は筐体部５００側から見た底面図である。図６は、本発明に係る携帯用スピーカ装置の一実施の形態であるイヤホン１０の第２の蓋部２００に対して第１の蓋部１００を取り付けた状態の各部の内部構成を模式的に示す斜視図である。
【００２３】
第１の蓋部１００は、図４に示すように、底面部１２０と、底面部１２０の内周部１２０Ａから内側に向けて延在する嵌合部１１０と、底面部１２０を囲む外周筒部１３０とを備えている。底面部１２０の外形は、矩形の平面形状を有している。底面部１２０の外形は、筐体部５００と略同じ又は大きい。第１の蓋部１００は、底面部１２０の内側（例えば、中央）に、被嵌合部２１０に対応する形状を有する開口部１２１を備える。開口部１２１は、略円形状に形成されており、その外径は、被嵌合部２１０の径方向の外形寸法と略同じ又は大きい。
【００２４】
また、嵌合部１１０は、対向する一対の嵌合片１１０Ｌ、１１０Ｒを備える。嵌合片１１０Ｌ、１１０Ｒは、底面部１２０の内周側面から底面部１２０の内側又は中央に向かって、板状に形成されている。また、開口部１２１は、平面形状が略円形状である第１の開口部１２１Ａと、平面形状が矩形状である第２の開口部１２１Ｂ（１２１Ｌ、１２１Ｒ）とを備える。第２の開口部１２１Ｌ、１２１Ｒは、第１の開口部１２１Ａを挟んで対向して配置され、第１の開口部１２１Ａより外周筒部１３０側に配置されている。嵌合片１１０Ｌ、１１０Ｒが有する外側端部又はその一部は、底面部１２０或いは外周筒部１３０に支持され、第２の開口部１２１Ｂ内に配置されている。また、嵌合片１１０Ｌ、１１０Ｒの内側端部又はその一部が、第２の開口部１２１Ｂから内側に突出している。これにより、嵌合片１１０Ｌ、１１０Ｒは、外周筒部１３０から開口部１２１に向かう方向（径方向）にて所定の長さを備え、嵌合動作が可能な撓み量となる長さに設定されている。
【００２５】
また、図４（ｂ）及び図６に示すように、嵌合片１１０Ｌ、１１０Ｒは、外側端部と内側端部との間に傾斜状部１１１を備える。この傾斜状部１１１は、嵌合片１１０Ｌ、１１０Ｒの外側端部から内側端部にかけて、被嵌合部２１０側に緩やかに傾斜している。本実施の形態では、嵌合片１１０Ｌ、１１０Ｒの内側端部側であって、上記の傾斜する部分が傾斜状部１１１となっている。すなわち、嵌合片１１０Ｌ、１１０Ｒの内側端部は、底面部１２０の形成面に対して被嵌合部２１０側に配置されている。
【００２６】
嵌合部１１０が傾斜状部１１１を備えることで、被嵌合部２１０に対し付勢力を作用させることができる。特に、第１の蓋部１００を第２の蓋部２００に対して取り付ける際、嵌合片１１０Ｌ、１１０Ｒが、後述する被嵌合片２１０Ｌ、２１０Ｒによって筐体部５００側に押圧されて撓むことにより、付勢力を被嵌合片２１０に作用させる。これにより、第１の蓋部１００と第２の蓋部２００との固定力を比較的大きくでき、意図しないで外れることを抑止することができる。また、第２の蓋部２００の後述する平坦部２２２が、傾斜状部１１１に対して第１の蓋部１００に向かう方向に外力を作用させ、被嵌合片２１０が、傾斜状部１１１に対して筐体部５００に向かう方向に外力を作用させることで、傾斜状部１１１を筐体部５００側に湾曲させても構わない。この湾曲した傾斜状部１１１は、被嵌合部２１０に比較的大きい付勢力を作用させることが可能になる。なお、本実施の形態では、第１の蓋部１００が第２の蓋部２００に固定される強さ（すなわち、固定力）、又は嵌合部１１０と被嵌合部２１０とが固定される強さを、以下、単に嵌合強度と呼称する。
【００２７】
また、嵌合部１１０が有する内側端部の被嵌合部２１０側には、凸部１１５が設けられている。凸部１１５は、後述する被嵌合片２１０Ｌ、２１０Ｒに設けられた凹部２１５と対応している。また、この凸部１１５は、図６に示すように、凹部２１５に対応する配置及び寸法を有している。これにより、第１の蓋部１００を第２の蓋部２００に取り付けた際に、第１の蓋部１００が第２の蓋部２００に対して周方向に外力が作用しても、凸部１１５と凹部２１５との係合によって、嵌合強度を比較的大きくすることができる。また、凸部１１５は、半球面等の滑らかな表面形状であっても良く、矩形等の突起形状であっても構わない。また、嵌合部１１０と被嵌合部２１０とが嵌合する際、傾斜状部１１１を設けたことにより、凸部１１５が凹部２１５内に嵌まり、比較的大きい固定力を得ることができる。
【００２８】
外周筒部１３０は、底面部１２０の外周部を囲むと共に立設されている。また、外周筒部１３０は、その中心軸方向における長さは、底面部１２０の厚みより大きい厚さを備える。また、筐体部５００側における外周筒部１３０の内側側面には、後述する第２の蓋部２００の段部２３２と係合する段部１３１が設けられている。これにより、第１の蓋部１００を第２の蓋部２００に取り付けた際、第１の蓋部１００が第２の蓋部２００に対して径方向にて外力が作用しても、段部１３１と段部２３２との係合によって、第１の蓋部１００と第２の蓋部２００とが位置ズレすることを抑止でき、嵌合強度を比較的大きくすることができる。
【００２９】
第２の蓋部２００は、図５に示すように、底面部２２０と、底面部２２０の外周部を囲む外周筒部２３０と、第１の蓋部１００の嵌合部１１０と嵌合する被嵌合部２１０と、被嵌合部２１０を底面部２２０から離れた位置にて支持する壁部２４０と、壁部２４０から外側に突出する板状の天面部２５０とを備えている。底面部２２０は、矩形の平面形状を有する。また、底面部２２０の外形は、第１の蓋部１００と同様に、筐体部５００と略同じ又は大きい。底面部２２０の内側（例えば、中央）には、図５（ａ）に示すように、嵌合部１１０に向かって壁部２４０が立設されている。
【００３０】
壁部２４０は、底面部２２０の内側から周方向に沿って立設される第１の壁部２４１（２４１Ａ、２４１Ｂ）と、第１の壁部２４１に連続して立設される第２の壁部２４２（２４２Ａ、２４２Ｂ）と、第２の壁部２４２に連続して立設される第３の壁部２４３（２４３Ｌ、２４３Ｒ）と、第１の壁部２４１に連続して立設される第４の壁部２４４（２４４Ａ、２４４Ｂ）とを備える。第２の壁部２４２は、第１の壁部２４１を基端として径方向に沿って延出する。第３の壁部２４３は、第１の壁部２４１と第２の壁部２４２とを連結し、天面部２５０の外周部に沿って延在する。第４の壁部２４４は、第１の壁部２４１の配置位置に対して、第３の壁部２４３側とは逆側に配置されている。また、被嵌合部２１０は、第１の壁部２４１、第４の壁部２４４、第３の壁部２４３の一部とで構成される凹部を、平面形状として備える。即ち、被嵌合部２１０の平面形状は、径方向にて、凹部を備える。
【００３１】
第１の壁部２４１Ａと２４１Ｂの間の距離は、嵌合部１１０の嵌合片１１０Ｌと嵌合片１１０Ｒとの距離と略同じ又は小さい。また、嵌合動作の際、第１の壁部２４１Ａと２４１Ｂとの間に、嵌合片１１０Ｌ、１１０Ｒが挿入されて配置される。嵌合動作は、後述するように（図７参照）、例えば、第１の蓋部１００を第２の蓋部２００に対してねじ込むような回転動作である。このねじ込む回転動作の際、嵌合片１１０Ｌ、１１０Ｒの外周側面が壁部２４０に当接し、回転動作の回転軸が実質的に被嵌合部２１０の中心軸となる。
【００３２】
第２の壁部２４２Ａ、２４２Ｂは、被嵌合部２１０の中心位置に対して、点対称に配置されている。第２の壁部２４２Ａ、２４２Ｂ間の距離は、第１の蓋部１００が有する第１の開口部１２１Ａの外径と略同じ又は小さい。第２の壁部２４２は、嵌合部１１０を被嵌合部２１０に嵌合する際の、嵌合部１１０の回転方向に対して交差する方向に延在する。そして、第２の壁部２４２は、第１の蓋部１００を第２の蓋部２００に対して取り付ける回転動作の際、第１の蓋部１００の回転動作を抑止する。即ち、第２の壁部２４２は、嵌合片１１０Ｌ、１１０Ｒが被嵌合部２１０の中心軸に対して回転動作する、回転動作規制部の一部となっている。このため、第１の蓋部１００は、第２の蓋部２００に対して所定の位置に配置され、第１の蓋部１００と第２の蓋部２００との取り付けを可能にする。
【００３３】
第３の壁部２４３Ｌと２４３Ｒとの間の距離は、第１の蓋部１００が有する第１の開口部１２１Ａの外径と略同じ又は小さい。嵌合片１１０Ｌ、１１０Ｒは、第１の蓋部１００の回転動作の際、第３の壁部２４３Ｌ、２４３Ｒに当接又は沿って移動する。即ち、第３の壁部２４３は、嵌合片１１０Ｌ、１１０Ｒが被嵌合部２１０の中心軸に対して回転動作する、回転動作規制部の一部となっている。
【００３４】
第４の壁部２４４は、第１の壁部２４１の外側にて、径方向に延在する。第４の壁部２４４Ａと２４４Ｂとの間の距離は、第１の蓋部１００が有する第１の開口部１２１Ａの外径と略同じ又は小さい。第４の壁部２４４は、嵌合部１１０を被嵌合部２１０から離合する際の、嵌合部１１０の回転方向に対して交差する方向に延在する。そして、第４の壁部２４４は、第１の蓋部１００を第２の蓋部２００に対して取り外す回転動作の際、第１の蓋部１００の回転動作を抑止する。即ち、第４の壁部２４４は、嵌合片１１０Ｌ、１１０Ｒが被嵌合部２１０の中心軸に対して回転動作する、回転動作規制部の一部となっている。このため、第１の蓋部１００は、第２の蓋部２００に対して所定の位置に配置され、第１の蓋部１００と第２の蓋部２００との取り外しを可能にする。
【００３５】
壁部２４０の上部側（第１の蓋部１００側）には、嵌合部１１０に対応する被嵌合部２１０が設けられている。被嵌合部２１０は、被嵌合片２１０Ｌと被嵌合片２１０Ｒとを備える。被嵌合片２１０Ｌ、２１０Ｒは、天面部２５０に連続して板状に形成されている。また、被嵌合片２１０Ｌ、２１０Ｒの外周部は、第１の壁部２４１、第２の壁部２４２、第３の壁部２４３に沿う形状を備える。また、被嵌合部２１０の外周部の一部は、第３の壁部２４３の外径より大きい外径を有する。即ち、第３の壁部２４３近傍に配置される被嵌合片２１０の外周部は、第３の壁部２４３より外側に突出している。第３の壁部２４３近傍に配置される被嵌合部２１０の外周部は、第１の嵌合部をねじ込む際、嵌合部１１０Ｌ、１１０Ｒの上端部（第１の蓋部１００側）の動作を、上下方向（第２の蓋部２００の中心軸に沿う方向）にて規制する。被嵌合部２１０、特に第３の壁部２４３近傍に配置される被嵌合部２１０の外周部は、回転動作規制部の一部となっている。
【００３６】
また、被嵌合片２１０Ｌ、２１０Ｒは、図５（ｂ）に示すように、半円板状に形成されている。また、嵌合動作の際、被嵌合片２１０Ｌと被嵌合片２１０Ｒとの間に、嵌合片１１０Ｌと嵌合片１１０Ｒが挿入される。また、被嵌合片２１０Ｌ、２１０Ｒは、第１の蓋部１００の開口部１２１内に配置される。
【００３７】
また、被嵌合片２１０Ｌ、２１０Ｒの底面（筐体部５００に対向する面）には、周方向に沿って、傾斜状部２１０Ａが設けられている。この傾斜状部２１０Ａを設けることで、第２の壁部２４２から第３の壁部２４３に向かう方向にて、被嵌合部２１０の厚さが小さくなっている。また、傾斜状部２１０Ａと底面部２２０との間の距離は、第２の壁部２４２から第３の壁部２４３に向かう方向にて大きくなっている。第２の蓋部２００が傾斜状部２１０Ａを備えることで、嵌合動作の際、被嵌合部２１０は嵌合部１１０に対して比較的大きい付勢力を作用させることができる。特に、第１の蓋部１００を第２の蓋部２００に対して回転するに伴い、嵌合片１１０Ｌ、１１０Ｒが徐々に筐体部５００側に押圧されて、被嵌合片２１０Ｌ、２１０Ｒに対する付勢力が徐々に増大する。このため、嵌合部１１０と被嵌合部２１０は、比較的大きい嵌合強度で嵌合することができる。また、嵌合動作後、嵌合部１１０による被嵌合部２１０への付勢力を比較的大きい状態で維持することが可能となる。
【００３８】
また、被嵌合片２１０Ｌ、２１０Ｒの底面（筐体部５００に対向する面）には、図５（ｃ）及び図６に示すように、嵌合部１１０の凸部１１５と係合する凹部２１５が設けられている。この凹部２１５を設けることで、嵌合部１１０の凸部１１５と被嵌合部２１０の凹部２１５とが係合し、比較的大きい嵌合強度で嵌合することができる。また、周方向に沿う外力が第１の蓋部１００に作用して、意図せず、嵌合部１１０が被嵌合部２１０から外れることを抑止できる。
【００３９】
一方、底面部２２０は、第１の壁部２４１、第２の壁部２４２、第３の壁部２４３を囲む平坦部２２２を備える。平坦部２２２は、図６に示すように、嵌合時に嵌合片１１０Ｌ、１１０Ｒの一部と当接する。この平坦部２２２は、傾斜状部１１１を有する嵌合部１１０の一部を、第２の蓋部２００に対して所定の高さで支持する。この時、傾斜状部１１１の内側端部は、平坦部２２２に対して被嵌合部２１０側に配置される。このため、嵌合動作の際、傾斜状部１１１は、被嵌合部２１０に比較的大きい付勢力を作用させることができる。また、傾斜状部１１１による被嵌合部２１０に対する付勢力が比較的大きい状態で、嵌合片１１０Ｌ、１１０Ｒを固定することができ、嵌合強度を向上させることができる。
【００４０】
また、第２の蓋部２００が有する外周筒部２３０は、平坦部２２２から外周部にかけて、係合部としての段部２３２を備える。一方、第１の蓋部１００の外周筒部１３０は、傾斜状部１１１から外周部にかけて、第２の蓋部が有する段部２３２に対応する、被係合部としての段部１３１を備える。第２の蓋部２００の段部２３２と第１の蓋部１００の段部１３１とが係合することで、第１の蓋部１００が第２の蓋部２００に対し、径方向或いは中心軸方向にて位置決めされること、第１の蓋部１００と第２の蓋部２００とを固定することが可能になる。
【００４１】
また、底面部２２０の角部には、傾斜面部２２３が設けられている。この傾斜面部２２３は、底面部２２０から外周筒部２３０に向かう方向にて、低くなっている。すなわち、底面部２２０の角部近傍では、底面部２２０から外周筒部２３０に向かう方向にて、平坦部２２２、傾斜面部２２３、外周筒部２３０の上端部２３１の順番で配設されている。この傾斜面部２２３を設けることで、嵌合動作の際、第２の蓋部２００に対して第１の蓋部１００を効率良く回転させることができる。特に、第２の蓋部２００の角部近傍に傾斜面部２２３が設けられていない場合には、第１の蓋部１００が第２の蓋部２００から周方向に沿う反力を受ける。傾斜面部２２３を第２の蓋部２００の底面部２２０の角部近傍に設けることで、反力を比較的小さくすることができる。
【００４２】
また、第１の蓋部１００が回転するにつれて、後述するように（図８参照）、段部１３１が傾斜面部２２３に沿って乗り上がり、嵌合片１１０Ｌ、１１０Ｒが被嵌合片２１０Ｌ、２１０Ｒに効率良く嵌合させることができる。よって、底面部２２０の角部に傾斜面部２２３を設けることで、円滑な嵌合動作を実現することができる。
【００４３】
ここで、図６に示すように、第２の蓋部２００の底面部２２０と第１の蓋部１００とが接触する面を含む平面をＸ面とする。また、第２の蓋部２００の被嵌合部２１０の底面側（筐体部５００側）と嵌合部１１０とが接触する面を含む平面をＹ面とする。また、第１の蓋部１００の底面部１２０の筐体部５００側とは逆側の面（第２の蓋部２００の天面部２５０の筐体部５００とは逆側の面と略同じ平面）を含む平面をＺ面とする。更に、外周筒部１３０または外周筒部２３０の内部であって、Ｘ面とＹ面との間隙を第１の間隙７２１とし、Ｙ面とＺ面との間隙を第２の間隙７２２とする。
【００４４】
図６に示されるように、第２の蓋部２００は、中心軸方向における被嵌合部２１０と底面部２２０との間に、第１の間隙７２１を備える。第１の蓋部１００は、外周筒部１３０の内側にて、第２の間隙７２２を備える。嵌合部１１０は、第２の間隙７２２内に配置され、被嵌合部２１０は第２の間隙７２２内に配置されている。また、嵌合部１１０は、径方向で異なる位置に配置される底面部２２０と被嵌合部２１０とにより挟み込まれて固定されている。このとき、嵌合部１１０の傾斜状部１１１、被嵌合部２１０の傾斜状部２１０Ａ、及び底面部２２０の平坦部２２２が設けられていることによって、中心軸方向にて、比較的大きな嵌合強度を得ることができる。また、段部１３１と段部２３２とが係合して固定されていることによって、径方向で比較的大きな嵌合強度を得ることができる。また、凸部１１５と凹部２１５とが係合して固定されていることによって、周方向に比較的大きな嵌合強度を得ることができる。
【００４５】
図５には、第２の蓋部２００の底面部２２０が開口部２２１を備えることが示されている。この開口部２２１は、第３の壁部２４３又は平坦部２２２に隣接して配置されている。開口部２２１は、嵌合部１１０に対向する位置に配置されている。開口部２２１は、湾曲状の平面形状を備え、被嵌合部２１０の下方側（筐体部５００側）に配置されている。また、開口部２２１は、図示の例では、第１の壁部２４１、第２の壁部２４２、第３の壁部２４３に沿って形成されている。
【００４６】
また、筐体部５００と蓋部２０との間には、空気室７００が設けられている。この空気室７００は、図６に示すＸ面を境界面として筐体部５００側を第１の空気室７１０に、筐体部５００側とは逆側（第１の蓋部１００側）を第２の空気室７２０に分けられる。第１の空気室７１０は、筐体部５００と第２の蓋部２００との間に設けられている。第２の空気室７２０は、第２の蓋部２００と第１の蓋部１００との間に設けられている。また、第１の空気室７１０は、第２の蓋部２００が備える開口部２２１を介して、第２の空気室７２０と連通している。第２の空気室は、開口部２２１、開口部１２１、第１の間隙７２１、第２の間隙７２２とで構成されている。また、空気室７００は、筐体部５００側に配置されるスピーカユニット４００、第３の蓋部３００とで、気密になっている。
【００４７】
一般に、スピーカユニット４００の音響特性は、スピーカユニット４００の背面側における空間の容積（本実施の形態では空気室７００の容積の大きさに相当）に影響されることが知られている。本実施の形態では、蓋部２０を設けることで、スピーカユニット４００の背面側における空間を比較的大きくすることができる。特に、筐体部５００と、第１の蓋部１００、第２の蓋部２００、第３の蓋部３００とで空気室７００を構成することで、比較的大きい容積をスピーカユニット４００の背面側に設けることができる。このため、イヤホン１０の音響特性を向上させることができる。
【００４８】
また、例えば、空気室７００の容積を変化させてイヤホン１０の音響特性を調整すべく、複数の蓋部２０をイヤホン１０は備えていても構わない。複数の蓋部２０は互いに異なる形状を備えることで、筐体部５００との間に設けられる空気室７００を異なる容積に変更可能にする。特に、第１の蓋部１００は第２の蓋部２００に対して取り外し可能に接続されている。そのため、ユーザーの好みに合わせて、適宜第１の蓋部１００を交換することで、ユーザーの好む音響特性をイヤホン１０が備えることができる。また、イヤホン１０の音響特性を調整すべく、複数の吸音材をイヤホン１０は備えていても構わない。
【００４９】
次に、イヤホン１０の第１の蓋部１００と第２の蓋部２００とを取り付ける動作の説明を、図７及び図８を用いて詳細に説明する。図７は、本発明に係る携帯用スピーカ装置の一実施の形態であるイヤホン１０の第２の蓋部２００に対して第１の蓋部１００を取り付ける動作中の各部の外観構成を模式的に示す斜視図である。図８は、本発明に係る携帯用スピーカ装置の一実施の形態であるイヤホン１０の第２の蓋部２００に対して第１の蓋部１００を取り付ける動作中の各部の内部構成を模式的に示す斜視図である。
【００５０】
第２の蓋部２００に対して第１の蓋部１００を取り付ける際、まず、図７（ａ）に示すように、嵌合部１１０と被嵌合部２１０とを、所定の位置に配置した後、嵌合部１１０を被嵌合部２１０に挿入する。具体的には、まず、図８（ａ）に示すように、第１の蓋部１００を第２の蓋部２００に当接させる。この時、被嵌合部２１０は、第１の蓋部１００の開口部１２１内に配置される。また、嵌合部１１０は、被嵌合部２１０の凹部（第１の壁部２４１、第４の壁部２４４、第３の壁部２４３の一部とで構成される凹部）内に配置される。このとき、第１の蓋部１００の段部１３１は、図８（ａ）に示すように、第２の蓋部２００の外周筒部２３０の上端部２３１と接触している。
【００５１】
図７（ｂ）に示すように、第１の蓋部１００を第２の蓋部２００に対して回転させる。具体的には、第１の蓋部１００を、第２の蓋部２００の中心軸を回転軸として時計回りに９０°回転させる。このとき、段部１３１は、図８（ｂ）に示すように、外周筒部２３０の一部である上端部２３１から離れ、外周筒部２３０の他の一部である傾斜面部２２３に乗り上げる。また、第１の蓋部１００は、第２の蓋部２００から浮き上がる。第１の蓋部１００を回転させる際、傾斜面部２２３を設けていることにより、底面部２２０の角部付近で回転方向に対する反力が比較的小さく、比較的小さい回転力で第１の蓋部１００を回転させることができる。
【００５２】
段部１３１が傾斜面２２３に乗り上げることで、嵌合部１１０の嵌合片１１０Ｌ、１１０Ｒは、被嵌合部２１０の被嵌合片２１０Ｌ、２１０Ｒの底面に押圧される。また、嵌合部１１０の嵌合片１１０Ｌ、１１０Ｒは、底面部２２０の平坦部２２２と天面部２５０との間（具体的には第１の間隙７２１）に進入する。また、被嵌合部２１０が傾斜状部２１０Ａを備えることで、嵌合片１１０Ｌ、１１０Ｒは、被嵌合片２１０Ｌ、２１０Ｒに付勢力を作用させることができる。このため、第１の蓋部１００の中心軸方向における揺動を規制することができ、円滑な嵌合動作を可能にする。
【００５３】
図７（ｃ）に示すように、第１の蓋部１００を時計回りに９０°回転させると、嵌合部１１０が第２の壁部２４２に当接し回転動作が制限される。このとき、段部１３１は、傾斜面部２２３を乗り越えて、外周筒部１３０の周方向における所定の位置にて、外周筒部２３０の段部２３２と係合する。この間、第２の蓋部２００に対して浮き上がった第１の蓋部１００は、第２の蓋部２００へ沈み込む動作をする。この沈み込む動作の際、第２の蓋部２００が傾斜面部２２３を備えることで、スムーズな嵌合動作が可能となる。また、嵌合片１１０Ｌ、１１０Ｒは、被嵌合片２１０Ｌ、２１０Ｒの底面側と平坦部２２２との間に、被嵌合片２１０Ｌ、２１０Ｒに付勢力を作用させた状態で挟持される。
【００５４】
また、嵌合動作における嵌合片１１０Ｌ、１１０Ｒは、凸部１１５を備えることで、被嵌合片２１０Ｌ、２１０Ｒに対し、比較的大きい付勢力を作用させることができる。また、嵌合動作が終了する際、凸部１１５と凹部２１５とが係合する際、凸部１１５と凹部２１５とが接触する接触音や、段部１３１と上端部２３１とが衝突する衝突音や振動が生じる。ユーザーは、この接触音、衝突音や振動により、嵌合動作が終了したことを認識することができる。よって、必要以上に嵌合動作を行うことを抑止でき、嵌合片１１０Ｌ、１１０Ｒには負荷が加わることを抑止できる。
【００５５】
このように、第１の蓋部１００を第２の蓋部２００に取り付ける動作は、第１の蓋部１００の嵌合部１１０を第２の蓋部２１０へ挿入し、時計回りへ９０°回転させるという簡便な動作で、比較的大きい嵌合強度を得ることができる。また、第１の蓋部１００を第２の蓋部２００から取り外す動作は、取り付ける際の回転方向とは逆向きに回転させることで実現することができる。この取り外し動作は、取り付け動作と実質的に同様であるため、説明を省略する。
【００５６】
上述したように、本実施の形態では、蓋部２０は、第１の蓋部１００における嵌合部１１０の傾斜状部１１１、第２の蓋部２００における被嵌合部２１０の傾斜状部２１０Ａ、及び底面部２２０の平坦部２２２を備える。このため、嵌合部１１０を被嵌合部２１０及び底面部２２０によって中心軸方向にて挟んで固定することができる。また、嵌合動作時、嵌合動作後も、嵌合片１１０Ｌ、１１０Ｒによる付勢力が被嵌合部２１０に作用し、意図せず、第１の蓋部１００と第２の蓋部２００とが外れることを抑止できる。また、第２の蓋部２００が傾斜面部２２３を備えることで、比較的小さい回転力で第１の蓋部１００を第２の蓋部２００から取り外すことができる。従って、円滑な嵌合動作と同時に、第１の蓋部１００と第２の蓋部２００とが、比較的大きい嵌合強度で固定されることを可能にする。
【００５７】
また、本実施の形態では、第１の蓋部１００における外周筒部１２０の段部１３１と第２の蓋部２００における外周筒部２３０の段部２３２とが係合して固定されている。また、嵌合部１１０の凸部１１５と被嵌合部２１０の凹部２１５とが係合して固定されている。第１の蓋部１００と第２の蓋部２００が、これら段部１３１、２３２、凸部１１５、凹部２１５を備えることにより、径方向や周方向において比較的大きな嵌合強度を得ることができる。
【００５８】
また、一般に蓋部の取り付け動作時には、係合部や被係合部には大きな負荷が加わる。また、この取り付け動作が繰り返されることで、係合部又は被係合部の一部が磨耗したり、損傷したりする場合がある。このような磨耗や損傷が発生すると係合部と被係合部との間の固定力が低減してしまう場合がある。本実施の形態では、上述のような嵌合機構を採用することで、磨耗や損傷の発生を抑止することができる。
【００５９】
このように、本実施の形態では、固定力を長期的に維持すること、簡便な作業で円滑な取り付け動作をすることを可能にする。また、イヤホンが備える複数の蓋部から、適切な蓋部を選択して交換することで、ユーザーの好みに適合した音響特性を得ることができる。
【００６０】
ところで、上記イヤホン１０を、例えばポータブルオーディオプレーヤ、ポータブルビデオプレーヤ、テレビ、パソコン、携帯電話、卓上型オーディオプレイヤー等の電子機器に用いても構わない。図９は、本発明に係る携帯用スピーカ装置の一実施の形態であるイヤホン１０を備えたポータブルオーディオプレーヤ９００の外観構成を模式的に示す正面図である。ポータブルオーディオプレーヤ９００は、樹脂材料や金属部材で形成された携帯型ケース９０１、携帯型ケース９０１の正面９０２上に設けられた各種操作スイッチ９０３及びディスプレイ９０４を備える。また、ポータブルオーディオプレーヤ９００は、底面９０５にコネクタを備え、ポータブルオーディオプレーヤ９００内の信号生成装置と、他の電子機器内の信号処理装置とを相互に電気的に接続することができる。
【００６１】
イヤホン１０は、リモートコントローラ部９０６、プラグ部９０７及びコード部９０８と共に、ポータブルオーディオプレーヤ９００に外付品として取り付けられる。リモートコントローラ部９０６は、その小型スイッチ、小型モニタ等により、ポータブルオーディオプレーヤ９００を、コード部９０８を介して、リモートコントロール可能に構成されている。リモートコントローラ部９０６は、例えば、音量調整、左右耳用ごとの出力バランス制御、画面表示内容や番組或いはゲーム内容の選択、変更等を外部操作により実行可能に構成されている。また、このような制御は、正面９０２上に設けられた操作スイッチ９０３で行うことも可能である。また、イヤホン１０は、コード部９０８を介して受信した音声信号を音波に変換して音声出力するように構成されている。
【００６２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用することができる。本実施の形態では、携帯用スピーカ装置として、イヤホン１０を記載したが、これに限定されず、ヘッドホン等であっても構わない。
【００６３】
本実施の形態では、容積が互いに異なる第１の蓋部１００、又は互いに材料等が異なる吸音材を備える第１の蓋部１００を複数用意し、ユーザーの好みに合わせて適宜交換するように構成できる。これにより、ユーザーの好みに合う音響特性をイヤホン１０が提供することができる。
【００６４】
また、本実施の形態では、筐体部５００側に嵌合部１１０を備える第１の蓋部１００が配置され、この第１の蓋部１００の背面側に被嵌合部２１０を備える第２の蓋部２００が配置されている。これに限定されず、必要に応じて、被嵌合部２１０を備える第１の蓋部１００が配置され、この第１の蓋部１００の背面側に、嵌合部１１０を備える第２の蓋部１００が配置されても構わない。この場合、第１の蓋部２００が備える被嵌合部２１０は、第２の蓋部２００側に設けられる。また、第２の蓋部２００が備える嵌合部１１０は、第１の蓋部１００側に設けられる。また、本実施の形態では、第１の蓋部の底面部１２０及び第２の蓋部２２０の外形形状は矩形としたが、本発明はこれに限定されず、例えば八角形など、複数の湾曲状又は複数の直線状と、隣接する２つの湾曲部又は２つの直線部とで構成される複数の角部を備える、多角形状にすることもできる。
【符号の説明】
【００６５】
１０        イヤホン
２０        蓋部
１００      第１の蓋部
１１０      嵌合部
１１１      傾斜状部
１１５      凸部
１２０      底面部
１２０Ａ    内周部
１２１      開口部
１３０      外周筒部
１３１      段部
２００      第２の蓋部
２１０      被嵌合部
２１５      凹部
２２０      底面部
２２１      開口部
２２２      平坦部
２２３      傾斜面部
２３０      外周筒部
２３２      段部
２４０      壁部
２４１      第１の壁部
２４２      第２の壁部
２４３      第３の壁部
２４４      第４の壁部
２５０      天面部
３００      第３の蓋部
４００      スピーカユニット
５００      筐体部
５１０      音響管
６００      耳介挿入部
７００      空気室
９００      ポータブルオーディオプレーヤ
【図１】
2011234102.tif 000003
【図２】
2011234102.tif 000004
【図３】
2011234102.tif 000005
【図４】
2011234102.tif 000006
【図５】
2011234102.tif 000007
【図６】
2011234102.tif 000008
【図７】
2011234102.tif 000009
【図８】
2011234102.tif 000010
【図９】
2011234102.tif 000011